(57)【要約】      （修正有）【課題】同じコートに多くのラインをテープ等で引いたりすること等による雑然とした印象を与えずに、異なる競技を同じコートで行うことを実現することができる発光シートを提供する。【解決手段】本考案に係る屋内競技場に敷く発光シートは、屋内競技場に敷く発光シートであって、発光シート層と、当該発光シート層を衝撃から保護するための保護層と、の２層構造を含む構造を採用したこと、を特徴とする屋内競技場に敷く発光シートである。【選択図】図１
0003202304.tif 000002
【実用新案登録請求の範囲】
【請求項１】
屋内競技場に敷く発光シートであって、
発光シート層と、
当該発光シート層を衝撃から保護するための保護層と、
の２層構造を含む構造を採用したこと、
を特徴とする屋内競技場に敷く発光シート。
【請求項２】
屋内競技場に敷く発光シートであって、
当該屋内競技場の床に接着させるための接着層と、
発光シート層と、
当該発光シート層を衝撃から保護するための保護層と、
の３層構造を含む構造を採用したこと、
を特徴とする屋内競技場に敷く発光シート。
【請求項３】
請求項１に記載の２層構造又は請求項２に記載の３層構造、を含む構造を採用した、屋内競技場に敷く発光シートであって、
当該発光シートの範囲のうち、前記発光シート層が存在する範囲と、存在しない範囲があり、
当該発光シート層が存在する範囲の発光シート層が発光することにより、競技に使用するラインが示されること、
を特徴とする屋内競技場に敷く発光シート。
【考案の詳細な説明】
【技術分野】
【０００１】
本考案は、屋内競技場において実施する各種のスポーツのため、敷いて使用する発光シートに関するものである。
【背景技術】
【０００２】
現在、ほとんどの体育館で、各種スポーツ競技を同じコートで実施できるようにするために、無数のラインが入っている。
【０００３】
例を挙げると、バスケットボールは白ライン、バレーボールは緑ライン、バトミントンは黄色ラインなど、競技毎に色を変えて、同じコートに多くのラインをテープ等で引いているのが現在の体育館の実情である。
【考案の概要】
【考案が解決しようとする課題】
【０００４】
上記のような、現在の体育館の実情では、競技毎に色を変えて、同じコートに多くのラインをテープ等で引いており、混雑した状況となっている。
【０００５】
同じコートに多くのラインをテープ等で引いている現状は、競技を行う選手にとって分かり難くなり、混乱を招くし、観客にとっても雑然とした印象を与えてしまう。
【０００６】
本考案の目的は、上記問題点に鑑み、同じコートに多くのラインをテープ等で引いたりすること等による雑然とした印象を与えずに、異なる競技を同じコート行うことを実現することである。
【課題を解決するための手段】
【０００７】
１、
【０００８】
（１）
【０００９】
そこで、上記課題を解決するため、本考案に係る屋内競技場に敷く発光シートは、
屋内競技場に敷く発光シートであって、
発光シート層と、
当該発光シート層を衝撃から保護するための保護層と、
の２層構造を含む構造を採用したこと、
を特徴とする屋内競技場に敷く発光シートである。
【００１０】
（２）
【００１１】
「発光シート層」としては、電源まで備えて自ら発光する発光シート層、他の電源を活用して発光する発光シート層、発光する・発光しないを選択できる発光シート層、常時発光している発光シート層、単色の発光シート層、様々な色を発光できる発光シート層、３Ｄ画像を表示できる発光シート層、等の各種のものが考えられる。
「発光シート層」の具体例としては、ＥＬシート、折り曲げ可能な薄型ディスプレイ、３Ｄディスプレイ、等の各種のものが考えられる。
「保護層」は、「発光シート層」の上を、競技者が、直接、歩いたり走ったりジャンプしたりする事による、激しい衝撃や磨耗から保護するための層であり、各種の保護フィルムが考えられる。
「保護層」は、透明の材料であると、「発光シート層」による発光の色を妨げない。
「２層構造を「含む」構造」であるため、当該２層構造を含んだ、３層以上の構造の発光シートであっても構わない。
「屋内競技場」で行う「競技（種目）」の例としては、バスケットボール、バレーボール、バトミントン、等が考えられる。
「屋内競技場に敷く発光シート」は、屋内競技場に１枚の大きな発光シートを引く場合も考えられるし、屋内競技場に小さな発光シートを何枚も敷き詰めたり、屋内競技場の必要な部分（コートやライン部分等）だけに小さな発光シートを何枚も敷いたり、等が考えられる。
発光シートを敷く「屋内競技場」の例としては、例えば、体育館の床、屋内アリーナ、等が考えられる。
【００１２】
（３）
【００１３】
本考案により、屋内競技場に敷いた発光シートにおける、発光シート層が発光し、競技に使用するライン等を表示することができる。
また、実施する競技（種目）ごとに、発光させる発光シート層の範囲を変化させれば、競技（種目）ごとに異なったライン等を表示することができる。
更に、「発光シート層」の上には「保護層」があるため、屋内競技場に敷いた発光シートの上を、競技者が、直接、歩いたり走ったりジャンプしたりする事による、激しい衝撃や磨耗から保護することができる。
よって、屋内競技場の同じ場所に、多くのラインをテープ等で引いたりする等による雑然とした印象を与えず、異なる競技（種目）を同じ場所で行うことを実現する事ができる。
【００１４】
２、
【００１５】
（１）
【００１６】
また、他の考案に係る屋内競技場に敷く発光シートは、
屋内競技場に敷く発光シートであって、
当該屋内競技場の床に接着させるための接着層と、
発光シート層と、
当該発光シート層を衝撃から保護するための保護層と、
の３層構造を含む構造を採用したこと、
を特徴とする屋内競技場に敷く発光シートである。
【００１７】
（２）
【００１８】
「発光シート」を単に屋内競技場に敷くだけでは、競技の際の競技者からの衝撃等によって、「発光シート」の位置がズレてしまう可能性があるため、「接着層」は、有用である。
「接着層」による「接着」の程度は、数年間接着する程度の強いものや、１日だけ使える程度の弱い接着のもの等、強弱様々な接着剤・接着部材を採用することが考えられる。
「３層構造を「含む」構造」であるため、当該３層構造を含んだ、４層以上の構造のシートであっても構わない。
【００１９】
（３）
【００２０】
本考案により、屋内競技場に敷いた発光シートが、競技の際の競技者からの衝撃等によって、「発光シート」の位置がズレてしまうことを防ぐことができる。
【００２１】
３、
【００２２】
（１）
【００２３】
また、他の考案に係る屋内競技場に敷く発光シートは、
前記の２層構造又は前記の３層構造、を含む構造を採用した、屋内競技場に敷く発光シートであって、
当該発光シートの範囲のうち、前記発光シート層が存在する範囲と、存在しない範囲があり、
当該発光シート層が存在する範囲の発光シート層が発光することにより、競技に使用するラインが示されること、
を特徴とする屋内競技場に敷く発光シートである。
【００２４】
（２）
【００２５】
「発光シートの範囲のうち、発光シート層が存在する範囲」とは、例えば、屋内競技場に１枚の大きな発光シートを引く場合には、文字通り、１枚の大きな発光シートの範囲のうち、発光シート層が存在する範囲と、存在しない範囲があることをいう。
他にも、例えば、屋内競技場に小さな発光シートを何枚も敷き詰めたりする場合には、屋内競技場の必要な部分（コートやライン部分等）には発光シート層が存在する小さな発光シートを敷き、屋内競技場のその他の部分には発光シート層が存在しない小さな発光シートを敷く、という事も考えられる。
【００２６】
（３）
【００２７】
本考案により、屋内競技場に発光シートを引き、発光シート層が存在する範囲の発光シート層が発光することにより、競技に使用するラインが示されると共に、発光シート層が必要ない範囲には発光シート層が存在しないため、コストを削減できる。
【考案の効果】
【００２８】
本考案により、屋内競技場に敷いた発光シートにおける、発光シート層が発光し、競技に使用するライン等を表示することができる。
また、実施する競技（種目）ごとに、発光させる発光シート層の範囲を変化させれば、競技（種目）ごとに異なったライン等を表示することができる。
更に、「発光シート層」の上には「保護層」があるため、屋内競技場に敷いた発光シートの上を、競技者が、直接、歩いたり走ったりジャンプしたりする事による、激しい衝撃や磨耗から保護することができる。
よって、屋内競技場の同じ場所に、多くのラインをテープ等で引いたりする等による雑然とした印象を与えず、異なる競技（種目）を同じ場所で行うことを実現する事ができる。
【図面の簡単な説明】
【００２９】
【図１】本考案に係る発光シートの実施例１
【図２】本考案に係る発光シートの実施例２
【考案を実施するための形態】
【００３０】
１、
【００３１】
図１、図２は、本考案に係る発光シートの１つの実施例を図示したものである。
図１、図２に基づいて、以下説明する。
【００３２】
（１）
【００３３】
まず、本考案に係る屋内競技場に敷く発光シートは、
屋内競技場に敷く発光シートであって、
発光シート層と、
当該発光シート層を衝撃から保護するための保護層と、
の２層構造を含む構造を採用すること、
が考えられる。
「発光シート層」としては、電源まで備えて自ら発光する発光シート層、他の電源を活用して発光する発光シート層、発光する・発光しないを選択できる発光シート層、常時発光している発光シート層、単色の発光シート層、様々な色を発光できる発光シート層、３Ｄ画像を表示できる発光シート層、等の各種のものが考えられる。
「発光シート層」の具体例としては、ＥＬシート、折り曲げ可能な薄型ディスプレイ、３Ｄディスプレイ、等の各種のものが考えられる。
「保護層」は、「発光シート層」の上を、競技者が、直接、歩いたり走ったりジャンプしたりする事による、激しい衝撃や磨耗から保護するための層であり、各種の保護フィルムが考えられる。
「保護層」は、透明の材料であると、「発光シート層」による発光の色を妨げない。
「２層構造を「含む」構造」であるため、当該２層構造を含んだ、３層以上の構造の発光シートであっても構わない。
「屋内競技場」で行う「競技（種目）」の例としては、バスケットボール、バレーボール、バトミントン、等が考えられる。
「屋内競技場に敷く発光シート」は、屋内競技場に１枚の大きな発光シートを引く場合も考えられるし、屋内競技場に小さな発光シートを何枚も敷き詰めたり、屋内競技場の必要な部分（コートやライン部分等）だけに小さな発光シートを何枚も敷いたり、等が考えられる。
発光シートを敷く「屋内競技場」の例としては、例えば、体育館、屋内アリーナ、等が考えられる。
図１、図２に示すように、「屋内競技場」としての「体育館の床」に、「発光シート層」と「保護層」とを含む２層構造を含む構造を採用した本考案に係る「発光シート」を敷いている。
図１（ａ）では、「屋内競技場」としての「体育館の床」に敷いた本考案に係る「発光シート」により、競技種目ごとに必要なラインが表示されている（図１（ａ）では、バスケットボールのラインが表示された例を図示しており、図１（ａ）のバスケットボールのラインは、２Ｄの映像として映し出されている）。
図２では、発光シートにより、２Ｄの映像（左）や、３Ｄの映像（右）等を映し出している（他にも、プレー動画や、現在の量チームの得点を表示してもよい）。
図２の左では、２Ｄの映像として映し出されている「バスケットボールのライン」の例を、図２の右では、３Ｄの映像として映し出されている室内競技の他の例として「バドミントンのプレイ映像」の例を、図示している。
【００３４】
（２）
【００３５】
また、屋内競技場に敷く発光シートを、
屋内競技場に敷く発光シートであって、
当該屋内競技場の床に接着させるための接着層と、
発光シート層と、
当該発光シート層を衝撃から保護するための保護層と、
の３層構造を含む構造を採用した、
屋内競技場に敷く発光シートとすることも考えられる。
「発光シート」を単に屋内競技場に敷くだけでは、競技の際の競技者からの衝撃等によって、「発光シート」の位置がズレてしまう可能性があるため、「接着層」は、有用である。
「接着層」による「接着」の程度は、数年間接着する程度の強いものや、１日だけ使える程度の弱い接着のもの等、強弱様々な接着剤・接着部材を採用することが考えられる。
「３層構造を「含む」構造」であるため、当該３層構造を含んだ、４層以上の構造のシートであっても構わない。
図１（ｂ）では、本考案に係る「発光シート」の一例として、「屋内競技場」としての「体育館の床」の上に、「接着層」と「発光シート層」と「保護層」とを含む３層構造を含む構造を採用した本考案に係る「発光シート」を敷いた例（側面から見た断面図）である。
図１（ｂ）のように、図１（ａ）、図２の、「屋内競技場」としての「体育館の床」と、「発光シート層」との間に、「接着層」の位置がくるように、「接着層」と「発光シート層」と「保護層」とを含む３層構造を含む構造を採用した本考案に係る「発光シート」を敷けばよい。
【００３６】
（３）
【００３７】
また、他の考案に係る屋内競技場に敷く発光シートは、
前記の２層構造又は前記の３層構造、を含む構造を採用した、屋内競技場に敷く発光シートであって、
当該発光シートの範囲のうち、前記発光シート層が存在する範囲と、存在しない範囲があり、
当該発光シート層が存在する範囲の発光シート層が発光することにより、競技に使用するラインが示されること、
とすることが考えられる。
「発光シートの範囲のうち、発光シート層が存在する範囲」とは、例えば、屋内競技場に１枚の大きな発光シートを引く場合には、文字通り、１枚の大きな発光シートの範囲のうち、発光シート層が存在する範囲と、存在しない範囲があることをいう。
他にも、例えば、屋内競技場に小さな発光シートを何枚も敷き詰めたりする場合には、屋内競技場の必要な部分（コートやライン部分等）には発光シート層が存在する小さな発光シートを敷き、屋内競技場のその他の部分には発光シート層が存在しない小さな発光シートを敷く、という事も考えられる。
【００３８】
（４）
【００３９】
以上のような考案の実現により、以下のような効果も期待される。
「プレーの質の向上」
競技のコートやライン、エリアが鮮明になることにより、競技種目ごとに存在する複雑なラインに集中出来なかったプレーヤーが、プレーに集中できるようになり、競技力が向上する要因となる。
「見る楽しさ倍増」
観客側からすると、実施されている競技種目のコートやラインが鮮明に見えることで、今まで以上にプレーの醍醐味を感じられるようになる。
また、コート自体のカラーも、競技種目ごとに変化させることにより、プレーのスピード感や躍動感がより強く感じられるようになる。
特に競技のコートやライン以外を発光シートに表示させるプログラムデータを入れて、２Ｄの映像や３D映像等を表示することで、ハーフタイム等の時間を利用して、観客視点で色々なサービスを展開・提供することが出来る。
例えば、２Ｄや３Dで、ハーフタイム時点での両チームの得点を表示したり、その競技でハーフタイム前に披露されたファインプレー動画や、以前の試合のプレー動画を流したり、過去の対戦映像等を流す事等が考えられる。
「審判（ジャッジ）の質の向上」
他の競技のラインを含む、複雑なラインが無い為に、レフリーによるレフリングのミスが少なくなる。
「トレーニングに応用できる」
練習内容に応じて、いろいろな設定（例：ラダ―、輪、ライン、マーク）を作ることが出来る。
試合だけでなく、練習においての競技力向上に大きな役割を得ることが出来る。
「多様性発揮」
スポーツ・競技以外にも使用することができる。
例えば、レクリエーションや各種イベント等に、屋内競技場の場所の分割や色分け等、会場の配置などをデーターで行い、スムーズに準備・運営が出来る。
【産業上の利用可能性】
【００４０】
本考案に係る発光シートを、生産、販売等することにより、産業の発達に寄与することができるため、産業上の利用可能性を有する。
【図１】
0003202304.tif 000003
【図２】
0003202304.tif 000004